(57)【要約】  【課題】  洗濯槽からの溢水を確実に防止できるとともにコスト削減を図ることのできる洗濯機を提供する。  【解決手段】  洗濯槽３及び脱水槽２の上端の周部を覆う上面板１２に溝から成る第１、第２水路３１、３２を形成する。洗濯槽３内にはすすぎ水を排水する流出口４２ａを有する流出室４２が設けられ、第１水路３１は流出側開口部３１ｃにより流出室４２の流出口４２ａよりも上方に連結される。第１水路３１の他端は洗濯機１の背面側に開口した排水口３１ａが形成される。第２水路３２は第１水路３１から分岐して形成され、流出側開口部３１ｃよりも低い高さを維持して脱水槽２に臨んで開口する。洗濯槽３の水位が所定の水位になると第１、第２水路３１、３２を介して脱水槽２に導かれる。更に水位が増すと第１水路３１の排水口３１ａから洗濯機１外へ排水される。【選択図】      図１
2005118069.tif 000002
【特許請求の範囲】
【請求項１】
投入された洗濯物の洗い及びすすぎを行う洗濯槽と、前記洗濯槽に並設して洗濯物の脱水を行う脱水槽と、前記洗濯槽または前記脱水槽の上端の周部に形成された溝から成るとともに洗濯機外に臨む排水口を有して所定水位を超えた前記洗濯槽の水を洗濯機外に排出する第１水路とを備えたことを特徴とする洗濯機。
【請求項２】
前記排水口を洗濯機の背面に形成したことを特徴とする請求項１に記載の洗濯機。
【請求項３】
前記排水口に格子状部材を設けたことを特徴とする請求項１または請求項２に記載の洗濯機。
【請求項４】
前記洗濯槽の上部に設けられた流出口を介して前記洗濯槽に隣接するとともにすすぎ時に前記洗濯槽内の水を排水ホースに導く流出室を有し、第１水路は前記流出室の前記流出口よりも上方から延設されることを特徴とする請求項１〜請求項３のいずれかに記載の洗濯機。
【請求項５】
第１水路の少なくとも一部が水平面に対し傾斜していることを特徴とする請求項１〜請求項４のいずれかに記載の洗濯機。
【請求項６】
前記脱水槽の上端の周部に形成された溝から成るとともに、前記洗濯槽の水位が第１水路から排水される水位よりも低い水位の時に前記洗濯槽の水を前記脱水槽に導く第２水路を設けたことを特徴とする請求項１〜請求項５のいずれかに記載の洗濯機。
【請求項７】
第２水路は第１水路から分岐して形成されることを特徴とする請求項６に記載の洗濯機。
【請求項８】
第１水路は前記排水口までの経路途中に段差を有するとともに、前記段差は第１、第２水路の前記洗濯槽から前記脱水槽までの経路の高さよりも高い位置に配設されることを特徴とする請求項７に記載の洗濯機。
【請求項９】
第２水路の少なくとも一部が水平面に対し傾斜していることを特徴とする請求項６〜請求項８のいずれかに記載の洗濯機。
【請求項１０】
第２水路の前記脱水槽側の端部は前記脱水槽に設けられた脱水カゴの回転方向に沿って流水を案内する方向に傾斜したことを特徴とする請求項６〜請求項９のいずれかに記載の洗濯機。
【請求項１１】
第２水路の前記脱水槽側の端部に前記脱水槽で飛散した水の流入を遮る遮蔽部材を設けたことを特徴とする請求項６〜請求項１０のいずれかに記載の洗濯機。
【発明の詳細な説明】
【技術分野】
【０００１】
本発明は、洗濯槽と脱水槽とを有する二槽式の洗濯機に関する。
【背景技術】
【０００２】
二槽式の洗濯機は投入された洗濯物の洗いやすすぎを行う洗濯槽と、洗濯槽に並設して洗濯物の脱水を行う脱水槽とを有している。洗濯槽及び脱水槽は排水ホースに接続され、バルブを介して排水ホースから排水される。また、洗濯槽の上部に形成した流出口と排水ホースとが連結され、すすぎ時に流出口から流出する水を排水ホースに導いて排水するようになっている。
【０００３】
上記の洗濯機は排水ホースを本体部側方に誤って立設したまますすぎを行うと洗濯槽から溢水する。このため、洗濯槽の溢水を防止する溢水防止手段を有する洗濯機が特許文献１に開示されている。図８はこの洗濯機を示す正面断面図である。洗濯機１は隔壁２１で仕切られるとともに上方が制御パネル７で覆われた脱水槽２と洗濯層３とを有している。
【０００４】
脱水槽２及び洗濯層３はそれぞれ制御パネル７に設けられた開閉扉２ａ、３ａ（３ａは不図示）により上方が開閉可能になっている。制御パネル７には洗濯槽３に給水する給水口１１が設けられている。
【０００５】
洗濯槽３の底部には旋回流を発生させるパルセータ５が配され、底面から排水パイプ９が導出される。排水パイプ９の端部には排水ホース６が接続される。排水ホース６は洗濯機１の不使用時に図中、一点鎖線６’で示すように本体側部に立設して収納されるようになっている。排水パイプ９の経路途中にはバルブ１３が設けられ、バルブ１３の開成によって排水パイプ９、排水ホース６を介して洗濯槽３の貯水が排水される。
【０００６】
脱水槽２には回転自在な脱水カゴ８が設けられ、底面から排水パイプ９に連結される連結パイプ２２が導出される。脱水カゴ８の回転によって洗濯物から放出される水は連結パイプ２２、排水パイプ９、排水ホース６を介して排水される。
【０００７】
洗濯槽３は上側部後方に流出室４２を有している。流出室４２は複数の流出口４２ａを介して洗濯槽３の内部に連通している。流出口４２ａの下端は洗い時の水位Ｌ１よりも高いすすぎ時の水位Ｌ２に一致する。流出室４２から下方には排水パイプ９に連通するすすぎ排水パイプ４が導出される。
【０００８】
流出室４２には、すすぎ時の水位Ｌ２よりも上方の位置Ｌ３に脱水槽２と連通する連通口４２ｂが形成されている。脱水槽２の一方側部後方には位置Ｌ３よりも上方の位置Ｌ４で脱水槽２と連通し、外部に開口した溢水パイプ２５が配されている。位置Ｌ４は水位上限Ｌ０よりも下方に設定される。水位上限Ｌ０は制御パネル７に設けられた電装部品１０の下端Ｌｘよりも下方に設定され、給水口１１からの給水流量と溢水パイプ２５の排水流量とを考慮して洗濯槽３の水位が水位上限Ｌ０に到達しないように位置Ｌ４の位置が決められている。
【０００９】
上記構成の洗濯機１において、すすぎ時には水位Ｌ２で流出口４２ａから流出室４２に流出する水はすすぎ排水パイプ４、排水パイプ９、排水ホース６を介して排水される。排水ホース６を誤って立設したままにした場合は、洗濯槽３の水位が位置Ｌ３に到達すると、洗濯槽３内の水は流出室４２から連結口４２ｂを介して脱水槽２に流出する。そして、脱水槽２の水位が位置Ｌ４に到達すると溢水パイプ２５を介して排水される。これにより、洗濯槽３の溢水を防止する溢水防止手段が構成されている。
【特許文献１】実開平５−２１８８７号（第６頁−第１０頁、第１図）
【発明の開示】
【発明が解決しようとする課題】
【００１０】
しかしながら、上記特許文献１に開示された洗濯機によると、洗濯機１の省スペース化のために溢水パイプ２５の径を大きくすることができない。また、溢水パイプ２５を脱水槽２に連結するために連結部分に段差が生じて糸屑等が堆積しやすい。このため、溢水パイプ２５の詰まりが発生して洗濯槽３及び脱水槽２からの溢水や電装部品１０の浸水が生じる問題があった。更に、溢水パイプ２５を設けるため部品点数が増加して洗濯機１のコストが大きくなる問題もあった。
【００１１】
本発明は、洗濯槽からの溢水を確実に防止できるとともにコスト削減を図ることのできる洗濯機を提供することを目的とする。
【課題を解決するための手段】
【００１２】
上記目的を達成するために本発明は、投入された洗濯物の洗い及びすすぎを行う洗濯槽と、前記洗濯槽に並設して洗濯物の脱水を行う脱水槽と、前記洗濯槽または前記脱水槽の上端の周部に形成された溝から成るとともに洗濯機外に臨む排水口を有して所定水位を超えた前記洗濯槽の水を洗濯機外に排出する第１水路とを備えたことを特徴としている。
【００１３】
この構成によると、洗濯槽の水位が上昇すると洗濯槽または脱水槽の上端の周部に形成された溝から成る第１水路を介して洗濯槽内の水が流出する。第１水路を流通する水は洗濯機外に臨む排水口を介して洗濯機外周面に沿って流下し、洗濯機外に排水される。排水口は洗濯機の背面に形成するとよく、排水口に格子状部材を設けるとより望ましい。
【００１４】
また本発明は、上記構成の洗濯機において、前記洗濯槽の上部に設けられた流出口を介して前記洗濯槽に隣接するとともにすすぎ時に前記洗濯槽内の水を排水ホースに導く流出室を有し、第１水路は前記流出室の前記流出口よりも上方から延設されることを特徴としている。
【００１５】
この構成によると、注水しながらすすぎを行うと洗濯槽内の水が流出口から流出室に流出して排水ホースを介して排水され、水位が維持される。洗濯槽の水位が流出口よりも上昇すると、流出室から第１水路を介して排水される。第１水路の少なくとも一部は水平面に対し傾斜させるとよい。
【００１６】
また本発明は、上記構成の洗濯機において、前記脱水槽の上端の周部に形成された溝から成るとともに、前記洗濯槽の水位が第１水路から排水される水位よりも低い水位の時に前記洗濯槽の水を前記脱水槽に導く第２水路を設けたことを特徴としている。
【００１７】
この構成によると、洗濯槽の水位が上昇すると、洗濯槽または脱水槽の上端の周部に形成された溝から成る第２水路を介して洗濯槽内の水が脱水槽に流出する。更に水位が上昇すると、第１水路を介して排水される。第２水路は第１水路から分岐して形成するとよい。
【００１８】
また本発明は、上記構成の洗濯機において、第１水路は前記排水口までの経路途中に段差を有するとともに、前記段差は第１、第２水路の前記洗濯槽から前記脱水槽までの経路の高さよりも高い位置に配設されることを特徴としている。この構成によると、第２水路を流通する水によって脱水槽の水位が上昇すると段差を超えて第１水路を介して排水口から排水される。
【００１９】
第２水路の少なくとも一部は水平面に対し傾斜しているとよい。また、第２水路の脱水槽側の端部は脱水槽に設けられた脱水カゴの回転方向に沿って流水を案内する方向に傾斜するとよい。第２水路の脱水槽側の端部に脱水槽で飛散した水の流入を遮る遮蔽部材を設けるとより望ましい。
【発明の効果】
【００２０】
本発明によると、洗濯槽または脱水槽の上端の周部に形成された溝から成るとともに洗濯機外に臨む排水口を有して洗濯槽の溢水を洗濯機外に排出する第１水路を設けたので、洗濯槽または脱水槽を上端を覆う部材に一体に第１水路を形成することができる。従って、第１水路の開口面積を広く形成できるとともに従来のように溢水パイプの連結による段差が生じず、糸屑等による詰まりを防止して確実に洗濯槽の溢水を防止することができる。更に、従来のような溢水パイプ等を必要とせず洗濯機のコスト削減を図ることができる。
【００２１】
また本発明によると、洗濯機外に臨む排水口を洗濯機の背面に形成するので、洗濯機の美観を損なわずに洗濯槽から流出した水を排水することができる。また本発明によると、排水口に格子状部材を設けたので、虫やネズミ等の侵入を防止することができる。
【００２２】
また本発明によると、第１水路が流出室の流出口よりも上方から延設されるので、洗い時やすすぎ時に飛散した水が第１水路を介して洗濯機外に放出されることを防止することができる。また、第１水路の少なくとも一部が水平面に対し傾斜しているので、第１水路に侵入した水が残留することによるカビ、水垢等の発生を防止して衛生的な洗濯機を提供することができる。
【００２３】
また本発明によると、洗濯槽の水位が第１水路から排水される水位よりも低い水位の時に洗濯槽の溢水を脱水槽に導く第２水路を設けたので、洗濯槽の溢水が第１水路の流出端に導かれる前に脱水槽に貯溜される。従って、脱水槽に貯溜される間に排水ホースを倒す等の使用者の操作によって脱水槽から排水し、第１水路の排水口から排水して洗濯機外周面の浸水による美観低下を低減することができる。
【００２４】
また、第２水路を第１水路から分岐して設けたので、容易に形成することができる。第１水路は排水口までの経路途中に段差を有するとともに、段差は第１、第２水路の洗濯槽から脱水槽までの経路の高さよりも高い位置に配設されるので、洗濯槽から流出した水が排水口から排水される前に脱水槽に流入する第１、第２水路を容易に実現することができる。また、第２水路の少なくとも一部が水平面に対し傾斜しているので、第２水路に侵入した水が残留することによるカビ、水垢等の発生を防止して衛生的な洗濯機を提供することができる。
【００２５】
また本発明によると、第２水路の脱水槽側の端部は脱水槽に設けられた脱水カゴの回転方向に沿って流水を案内する方向に傾斜するので、脱水カゴの回転により飛散した水が第２水路及び第１水路を介して洗濯機外に放出されることを防止することができる。また、第２水路の脱水槽側の端部に脱水槽で飛散した水の流入を遮る遮蔽部材を設けたので、脱水カゴの回転により飛散した水が第２水路及び第１水路を介して洗濯機外に放出されることを更に防止することができる。
【発明を実施するための最良の形態】
【００２６】
以下に本発明の第１実施形態を図面を参照して説明する。図１は第１実施形態の洗濯機を示す分解斜視図である。説明の便宜上、前述の図８に示す従来例と同一の部分は同一の符号を付している。洗濯機１は隔壁２１で仕切られるとともに上方が制御パネル７で覆われた脱水槽２と洗濯層３とを有している。
【００２７】
脱水槽２及び洗濯層３の上端の周部は本体筐体と一体の上面板１２により覆われている。脱水槽２及び洗濯層３はそれぞれ制御パネル７に設けられた開閉扉２ａ、３ａ（３ａは不図示）により上方が開閉可能になっている。制御パネル７には洗濯槽３に給水する給水口１１が設けられている。
【００２８】
図２は洗濯機１の正面断面図を示している。洗濯槽３の底部には旋回流を発生させるパルセータ５が配され、底面から排水パイプ９が導出される。排水パイプ９の端部には排水ホース６が接続される。排水ホース６は洗濯機１の不使用時に図中、一点鎖線６’で示すように本体側部に立設して収納される。排水パイプ９の経路途中にはバルブ１３が設けられ、バルブ１３の開成によって排水ホース６から洗濯槽３の貯水が排水される。
【００２９】
脱水槽２には回転自在な脱水カゴ８が設けられ、底面から排水パイプ９に連結される連結パイプ２２が導出される。脱水カゴ８の回転によって洗濯物から放出される水は連結パイプ２２、排水パイプ９、排水ホース６を介して排水される。
【００３０】
洗濯槽３は上側部後方に流出室４２を有している。流出室４２は複数の流出口４２ａを介して洗濯槽３の内部に連通している。流出口４２ａの下端は洗い時の水位Ｌ１よりも高いすすぎ時の水位Ｌ２に一致する。流出室４２から下方には排水パイプ９に連通するすすぎ排水パイプ４が導出される。
【００３１】
図３、図４は洗濯槽３及び脱水槽２の上部後方を示す斜視図である。脱水槽２の上端の周部には、上面板１２に形成された溝から成る第１、第２水路３１、３２が設けられている。第１水路３１により洗濯槽３（流出室４２）に臨む開口部３１ｃが形成されている。開口部３１ｃはすすぎ時の水位Ｌ２（図２参照）よりも上方の位置Ｌ３（図２参照）に配置されている。
【００３２】
また、第１水路３１は経路途中で位置Ｌ３よりも上方の位置Ｌ４（図２参照）の高さの段差３１ｂを介して背面側に屈曲する。これにより、図５の背面図に示すように第１水路３１によって背面側に開口した排水口３１ａが形成されている。第１水路３１は段差３１ｂから排水口３１ｂに至る経路において排水口３１ａ側が低くなるように傾斜している。これにより、第１水路３１に侵入した水を容易に排水して水の残留によるカビや水垢を防止し、衛生的な洗濯機を得ることができる。
【００３３】
段差３１ｂの上端の位置Ｌ４は水位上限Ｌ０（図２参照）よりも下方に設定される。水位上限Ｌ０は制御パネル７に設けられた電装部品１０の下端Ｌｘ（図２参照）よりも下方に設定され、給水口１１からの給水流量と第１水路３１の排水流量とを考慮して洗濯槽３の水位が水位上限Ｌ０に到達しないように位置Ｌ４の位置が決められている。
【００３４】
図３、図４において、第２水路３２は位置Ｌ３よりも低い高さを維持して第１水路３１から分岐し、脱水槽２の上端に臨む除水口３２ａが形成される。開口部３１ｃから除水口３２ａに至る第１、第２水路３１、３２は経路において除水口３２ａ側が低くなるように傾斜している。これにより、第１、第２水路３１、３２に侵入した水を容易に脱水槽２に導いて水の残留によるカビや水垢を防止し、衛生的な洗濯機を得ることができる。また、第２水路３２は脱水槽２側の端部が脱水カゴ８の回転方向Ｂに沿って流水を案内する方向に傾斜している。
【００３５】
上記構成の洗濯機１において、すすぎ時には水位Ｌ２で流出口４２ａから流出室４２に流出する水はすすぎ排水パイプ４、排水パイプ９、排水ホース６を介して排水される。排水ホース６を誤って立設したままにした場合は、洗濯槽３の水位が位置Ｌ３に到達すると流出室４２から開口部３１ｃを介して第１、第２水路３１、３２に流入した水が脱水槽２に導かれる。
【００３６】
更に、洗濯槽３の水位が位置Ｌ４に到達すると洗濯槽３内の水は第１水路３１を介して排水口３１ａに導かれる。これにより、排水口３１ａから吐出される水が洗濯機１の背面側の本体外周面に沿って流下して排水される。従って、第１、第２水路３１、３２によって洗濯槽３の溢水を防止する溢水防止手段が構成されている。
【００３７】
本実施形態によると、洗濯槽３の水位が位置Ｌ４を超えた際に排水する第１水路３１が上面板１２に形成した溝から成るので、第１水路３１の開口面積を容易に広く形成できるとともに、従来のように溢水パイプ２５（図８参照）の連結による段差が生じない。従って、糸屑等による詰まりを防止して確実に洗濯槽３の溢水を防止することができる。更に、溢水パイプ２５（図８参照）等を必要とせずコスト削減を図ることができる。
【００３８】
また、第１水路３１の排水側の排水口３１ａを洗濯機１の背面に設けたので、洗濯機１の外周面を流下する水による美観の低下を防止することができる。また、流水室４２から第１水路３１を延設したので洗い時やすすぎ時に洗濯槽３から飛散した水が第１水路３１に流入するのが困難となる。従って、洗濯槽３から飛散した水が第１水路３１を介して洗濯機１外に放出されることを防止することができる。
【００３９】
また、洗濯槽３の水位が位置Ｌ４よりも低い位置Ｌ３を超えた際に脱水槽２に水を導く第２水路３２を設けたので、洗濯槽３の水が排水口３１ａに導かれる前に脱水槽２に貯溜される。従って、脱水槽２に貯溜される間に排水ホース６を倒す等の使用者の操作によって脱水槽２から排水し、排水口３１ａからの排水による洗濯機１の外周面の美観低下を低減することができる。
【００４０】
また、第２水路３２の脱水槽２側の端部を脱水カゴ８の回転方向に沿って流水を案内する方向に傾斜したので、脱水カゴ８の回転により飛散した水が第２水路３２及び第１水路３１を介して洗濯機１外に放出されることを防止することができる。
【００４１】
次に、図３は第２実施形態の洗濯機の第１、第２水路３１、３２を示す斜視図である。説明の便宜上、前述の図１〜図５に示す第１実施形態と同一の部分は同一の符号を付している。本実施形態は、第１水路３１の排水側の排水口３１ａに格子状のリブ３１ｅ（格子状部材）が上面板１２に突設されている。また、第２水路３２の排水側の除水口３２ａに複数の遮蔽板３２ｂ（遮蔽部材）が上面板１２に突設されている。その他の部分は第１実施形態と同一である。
【００４２】
本実施形態によると、リブ３１ｅによって排水口３１ａからの虫やネズミ等の侵入を防止して、第１水路３１の詰まりを防止することができる。また、遮蔽板３２ｂによって脱水カゴ８の回転により飛散した水が第２水路３２に流入して排水口３１ａから放出されることを更に防止することができる。尚、図７の側面断面図に示すように、リブ３１ｅや遮蔽板３２ｂを制御パネル７から下方に突設して形成してもよい。
【図面の簡単な説明】
【００４３】
【図１】は、本発明の第１実施形態の洗濯機を示す分解斜視図である。
【図２】は、本発明の第１実施形態の洗濯機を示す正面断面図である。
【図３】は、本発明の第１実施形態の洗濯機の第１、第２水路を示す斜視図である。
【図４】は、本発明の第１実施形態の洗濯機の第１、第２水路を示す斜視図である。
【図５】は、本発明の第１実施形態の洗濯機の背面図である。
【図６】は、本発明の第２実施形態の洗濯機の第１、第２水路を示す斜視図である。
【図７】は、本発明の第２実施形態の洗濯機の他の態様を示す側面断面図である。
【図８】は、従来の洗濯機を示す正面断面図である。
【符号の説明】
【００４４】
１    洗濯機
２    脱水槽
３    洗濯槽
５    パルセータ
６    排水ホース
７    制御パネル
８    脱水カゴ
１０    電装部品
１１    給水口
２５    溢水パイプ
３１    第１水路
３１ａ  排水口
３１ｅ  リブ（格子状部材）
３２    第２水路
３２ａ  除水口
３２ｂ  遮蔽部材
４２    流出室
４２ａ  流出口
【図１】
2005118069.tif 000003
【図２】
2005118069.tif 000004
【図３】
2005118069.tif 000005
【図４】
2005118069.tif 000006
【図５】
2005118069.tif 000007
【図６】
2005118069.tif 000008
【図７】
2005118069.tif 000009
【図８】
2005118069.tif 000010